(57)【要約】【課題】極めて簡単な構造でありながらも精密機器等の内容物に与えられる外部からの衝撃を吸収し内容物の破損等を防ぐことができ、容易に包装ができて、繰り返し使用可能なため廃棄物も減らすことが可能な包装用緩衝材を提供することを目的とするものである。【解決手段】梱包箱１と前記梱包箱１内部に収納する緩衝部材２とからなり、前記緩衝部材２は段ボール紙製の側面部材３、４及び底面部材５を互いに接合することで一体とした上で底面部材５を中心として側面部材３、４をそれぞれ上方に折り曲げることでコ字状に形成し、前記緩衝部材２を構成する横緩衝シート６及び縦緩衝シート７は、前記底面部材５の底部に取り付けた横緩衝シート６の先端６ａ、６ｃが底面部材５の両端から突出させ、また縦緩衝シート７は側面部材３、４に設けられた挿通孔３ｅ、４ｅから前記側面部材３、４の内部に向かって先端７ａ、７ｃを突出させるように取り付けたことを特徴とした包装用緩衝材の構成とした。【選択図】図３
2008127038.tif 000002
【特許請求の範囲】
【請求項１】
直方体に形成され内部が中空の梱包箱と前記梱包箱内に収納する緩衝部材からなり、前記緩衝部材は段ボール紙製の側面部材及び底面部材をコ字状に形成し、ビニール製の横緩衝シートを前記底面部材の両端から上方に突出するように取り付け、縦緩衝シートを前記側面部材の挿通孔を挿通して側面部材の内部に向かって突出するように取り付けたことを特徴とする緩衝材付き包装用箱。
【発明の詳細な説明】
【技術分野】
【０００１】
本発明は、パソコン等の精密機器を梱包する緩衝材付き包装用箱に関するものである。
【背景技術】
【０００２】
従来、精密機器を包装する場合には、発泡スチロールや紙製成形体を包装する内容品形状に合わせて成形したものを内容品と箱との間隙に嵌め込み緩衝材として利用したり、気泡緩衝材等に内容品を包み込むなどして包装している。
【０００３】
しかしながら、前記の方法で精密機器を包装すると、発泡スチロールや紙製成形体を大量に使用することになるので開封後には多量の廃棄物が出ることになる上に、間隙を埋めるようにして緩衝材を嵌め込むので手間もコストもかかる。
【０００４】
また、特許文献１に記載の包装用緩衝材及び包装用箱のように、容器内に収納される緩衝材であって、上記緩衝材は三角状柱体に形成される第１緩衝材及び他の三角状柱体に形成される第２緩衝材並びに台形状柱体に形成される第３緩衝材からなり、上記各緩衝材はいずれも中空体であって斜面の全面に弾力性を有するフィルムが設けられ、上記第１緩衝材及び上記第３緩衝材がおのおのの斜面により当接され、上記第２緩衝材が上記第３緩衝材の上に移動自在に載置され、上記第２緩衝材と上記第１緩衝材の対向面が上下方向の斜面に形成されることを特徴とするものがある。
【０００５】
しかしながら、前記の緩衝材は、一つの物品を包装するために包装用緩衝材が第１緩衝材、第２緩衝材、第３緩衝材と内容物に合わせた多角形状の柱体が複数個必要となり、また、その分だけコスト及び手間がかかる。
【特許文献１】特許第３７７９２２４号
【発明の開示】
【発明が解決しようとする課題】
【０００６】
そこで、本発明は、極めて簡単な構造でありながらも精密機器等の内容物に与えられる外部からの衝撃を吸収して破損等を防ぐことができ、容易に包装ができて、繰り返し使用可能なため廃棄物も減らすことが可能な緩衝材付き包装用箱を提供することを目的とするものである。
【課題を解決するための手段】
【０００７】
本発明は、上記の課題を解決するために、梱包箱１と前記梱包箱１内部に収納する緩衝部材２とからなり、前記緩衝部材２はコ字状に形成され横緩衝シート６及び縦緩衝シート７を有したことを特徴とする緩衝材付き包装用箱の構成とした。
【０００８】
また、本発明は、梱包箱１内部に収納する前記緩衝部材２を段ボール紙製の側面部材３、４及び底面部材５を互いに接合することで一体とした上で底面部材５を中心として側面部材３、４をそれぞれ上方に折り曲げることでコ字状に形成し、前記底面部材５の底部に取り付けた横緩衝シート６の先端６ａ、６ｃが底面部材５の両端から突出させ、また縦緩衝シート７は側面部材３、４に設けられた挿通孔３ｅ、４ｅから前記側面部材３、４の内部に向かって先端７ａ、７ｃを突出させるように取り付けたことを特徴とする緩衝材付き包装用箱の構成とした。
【発明の効果】
【０００９】
本発明は、梱包箱と緩衝部材とからなり、前記緩衝部材は段ボール紙製の側面部材及び底面部材とビニール製の緩衝シートとで構成されているため、極めて簡単な構造でありながら内容物の破損等を防ぐことができる。
【００１０】
また、本発明は緩衝部材に取り付けられた緩衝シートで精密機器等の内容物を覆い、緩衝シートに取り付けた接着テープで前記緩衝シートを接着させ、緩衝部材を梱包箱に収納するので精密機器等を容易に包装することができ、何度でも繰り返し使用することができる。
【発明を実施するための最良の形態】
【００１１】
図１は本発明である緩衝材付き包装用箱の梱包箱の蓋を閉じた状態を示す図、図２は梱包箱の蓋を開いた状態を示す図である。図１及び図２に示すように、梱包箱１は直方体状に形成された段ボール紙製の箱であり、上部には観音開きの蓋１ａ、１ａが設けられている。
【００１２】
また、梱包箱１の収納部１ｂは中空になっていて、収納部１ｂの内部には緩衝部材２が収納され、前記緩衝部材２は梱包箱１と緩衝部材２との間に間隙ができることなく密着して収納できる大きさである。
【００１３】
図３は本発明である緩衝材付き包装用箱の梱包箱から取り出した緩衝部材の斜視図である。図３に示すように、緩衝部材２は、コ字状に形成された段ボール紙製の側面部材３、４、底面部材５と、横緩衝シート６及び縦緩衝シート７から構成されている。
【００１４】
図３に示すように、梱包箱１にパソコン等の精密機器を収納する前の緩衝部材２は、底面部材５の両端から突出した横緩衝シート６及び側面部材３、４の下方から突出した縦緩衝シート７を折りたたんだ状態で、梱包箱１の収納部１ｂに収納されている。
【００１５】
図４は緩衝部材の正面展開図、図５は緩衝部材の背面展開図である。図４及び図５に示すように、緩衝部材２は、互いに接着された側面部材３、４及び底面部材５と、横緩衝シート６及び縦緩衝シート７により構成されている。
【００１６】
前記緩衝部材２を構成する側面部材３は、略長方形に成形された段ボール紙製の部材である。前記側面部材３は、上片３ａ、側片３ｃ、底片３ｄからなり、前記上片３ａは中央部に楕円形状の貫通孔３ｂが設けられ、側片３ｃの下部と底片３ｄの上部にかかる中央部に長方形状の挿通孔３ｅが設けられている。
【００１７】
前記上片３ａは使用時に内側に倒されることで蓋となる片であり、前記上片３ａに設けられた楕円形状の貫通孔３ｂは、緩衝部材２を梱包箱１に収納あるいは取り出す際に手で持つための持ち手となる孔である。
【００１８】
前記側面部材３の側片３ｃ及び底片３dに設けられた挿通孔３ｅは縦緩衝シート７を挿通させるための孔である。図３に示したように側面部材３をコ字状に成形した際にちょうど底部の角になるように挿通孔３ｅが設けられている。
【００１９】
側面部材３の底片３ｄが底面部材５の背面に接合されることで、側面部材３と底面部材５が一体となっており、さらに底面部材５を介した側面部材３の対面には同様に側面部材４が接合され、側面部材３、底面部材５、側面部材４が一体となっている。
【００２０】
前記側面部材４とは、側面部材３と同様に略長方形に成形された段ボール紙製の部材で、上片４ａ、側片４ｃ、底片４ｄからなり、前記上片４ｄには楕円形状の貫通孔４ｂが設けられ、側片４ｃの下部と底片４ｄの上部にかかる中央部には長方形の挿通孔４ｅがそれぞれ設けられている。
【００２１】
図４及び図５に示すように、緩衝部材２には横緩衝シート６及び縦緩衝シート７が取り付けられている。横緩衝シート６及び縦緩衝シート７とは、空気を内包した無数の突起６ｅ、７ｅが表面に設けられたことにより、前記突起６ｅ、７ｅがクッションとなって外部からの衝撃を吸収することを可能とする気泡緩衝材等の緩衝シートである。
【００２２】
図５に示すように、横緩衝シート６の突起６ｅが設けられていない裏面６ｂには先端６ｃに接着テープ６ｄが貼着されている。また、縦緩衝シート７も同様に突起７ｅが設けられていない裏面７ｂには先端７ｃに接着テープ７ｄが貼着されている。
【００２３】
横緩衝シート６は、側面部材３の底片３ｄ及び側面部材４の底片４ｄを底面部材５に接合したために側面部材３及び側面部材４の持つ段ボール紙の厚みによって形成された底面部材５底部の段差部分に嵌め込まれるようにして取り付けられている。また、前記横緩衝シート６は、中央部に取り付けられた粘着テープ等で底面部材４に接着されている。
【００２４】
さらに、縦緩衝シート７は、まず底面部材５の底部に取り付けられた横緩衝シート６の上に前記横緩衝シート６に対し垂直に置かれ、前記縦緩衝シート７の先端７ａを側面部材３に設けられた挿通孔３ｅに挿通させ、他方の先端７ｃを側面部材４に設けられた挿通孔４ｅに挿通させることで取り付けられてられている。また、前記縦緩衝シート７は、中央部に取り付けられた粘着テープ等で横緩衝シートに接着されている。
【００２５】
緩衝部材２を使用状態のコ字状に形成した場合、横緩衝シート６は空気を内包した無数の突起６ｅが設けられた凹凸面を緩衝部材２内部側の面として底面部材５を包むようにして前記底面部材５の両端から先端６ａ、６ｃが突出している。
【００２６】
また、縦緩衝シート７は、空気を内包した無数の突起７ｅが設けられた凹凸面を緩衝部材２内部側の面として側面部材３に設けられた挿通孔３ｅから内部に向かって先端７ａが挿通され、側面部材４に設けられた挿通孔４ｅからは内部に向かって他方の先端７ｃが挿通されることで、側面部材３の側片３ｃ及び側面部材４の側片４ｃの内面に縦緩衝シート７の両端が突出している。
【実施例１】
【００２７】
図６及び図７は本発明である緩衝材付き包装用箱の使用状態を示す図である。図６は緩衝部材でパソコンを包装した状態を示す図、図７はパソコンを包装した緩衝部材を梱包箱に収納する状態を示す図である。
【００２８】
図６に示すようにパソコン８等の精密機器を包装する場合、底面部材５にパソコン８を載せ、側面部材３の挿通孔３ｅ及び側面部材４の挿通孔４ｅから突出した縦緩衝シート７でパソコン８の左右側面を覆いながら前記縦緩衝シート７の先端７ａと先端７ｃを重ね合わせ、先端７ｃに貼着された接着テープ７ｄで両端をしっかりと接着させる。
【００２９】
次に、底面部材５の両端から突出した横緩衝シート６でパソコン８の前後面を覆いながら前記横緩衝シート６の先端６ａと先端６ｃを重ね合わせ、先端６ｃに貼着された接着テープ６ｄで両端をしっかりと密着させ、側面部材３及び側面部材４でパソコン８を挟むようにして固定させる。
【００３０】
そして、図７に示すように側面部材３の上片３ａに設けられた貫通孔３ｂと側面部材４の上片４ａに設けられた貫通孔４ｂを持ち手として両手で緩衝部材２を持ち、梱包箱１の収納部１ｂに前記緩衝部材２を収納し蓋１ａを閉じれば、パソコン８の包装が完了する。
【００３１】
図６及び図７に示すように、パソコン８は緩衝シート６、７でしっかりと覆われているので前記緩衝シート６、７が外部からの衝撃を吸収し、また同時に緩衝シート６、７はパソコン８を底面部材５に固定する役割も果たしているので、パソコン８の破損を防ぐことが可能となる。
【図面の簡単な説明】
【００３２】
【図１】緩衝材付き包装用箱を用いる梱包箱の蓋を閉じた状態を示す斜視図である。
【図２】緩衝材付き包装用箱を用いる梱包箱の蓋を開いた状態を示す斜視図である。
【図３】緩衝部材の斜視図である。
【図４】緩衝部材の正面展開図である。
【図５】緩衝部材の背面展開図である。
【図６】緩衝材付き包装用箱の使用状態を示す図である。
【図７】緩衝材付き包装用箱及び梱包箱の使用方法を示す図である。
【符号の説明】
【００３３】
１            梱包箱
１ａ          蓋
１ｂ          収納部
２            緩衝部材
３            側面部材
３ａ          上片
３ｂ          貫通孔
３ｃ          側片
３ｄ          底片
３ｅ          挿通孔
４            側面部材
４ａ          上片
４ｂ          貫通孔
４ｃ          側片
４ｄ          底片
４ｅ          挿通孔
５            底面部材
６            横緩衝シート
６ａ          先端
６ｂ          裏面
６ｃ          先端
６ｄ          接着テープ
６ｅ          突起
７            縦緩衝シート
７ａ          先端
７ｂ          裏面
７ｃ          先端
７ｄ          接着テープ
７ｅ          突起
８            パソコン
【図１】
2008127038.tif 000003
【図２】
2008127038.tif 000004
【図３】
2008127038.tif 000005
【図４】
2008127038.tif 000006
【図５】
2008127038.tif 000007
【図６】
2008127038.tif 000008
【図７】
2008127038.tif 000009